(57)【要約】【課題】ファインダを備えつつも、デザイン性を向上すること。【解決手段】本発明に係る透過性を有する背面モニタと、背面モニタの前方に背面モニタと重なるように配設された電子ファインダと、背面モニタ及び電子ファインダに対するプレビュー画像の表示を制御する制御部とを備える。制御部は、背面モニタの使用時には、背面モニタにプレビュー画像を表示することで、ユーザが背面モニタに表示されたプレビュー画像を視認可能とし、背面モニタの非使用時には、電子ファインダにプレビュー画像を表示することで、ユーザが背面モニタを透かして電子ファインダに表示されたプレビュー画像を視認可能とする。【選択図】図３
2014216761.tif 000002
【特許請求の範囲】
【請求項１】
透過性を有する背面モニタと、
前記背面モニタの前方に前記背面モニタと重なるように配設された電子ファインダと、
前記背面モニタ及び前記電子ファインダに対するプレビュー画像の表示を制御する制御部と、を備え、
前記制御部は、
前記背面モニタの使用時には、前記背面モニタにプレビュー画像を表示することで、ユーザが前記背面モニタに表示されたプレビュー画像を視認可能とし、
前記背面モニタの非使用時には、前記電子ファインダにプレビュー画像を表示することで、前記ユーザが前記背面モニタを透かして前記電子ファインダに表示されたプレビュー画像を視認可能とする、
カメラ装置。
【請求項２】
前記電子ファインダは、
前記ユーザが前記プレビュー画像を視認するためのファインダ窓と、
前記プレビュー画像が表示される内部モニタと、
前記内部モニタからの前記プレビュー画像の光を前記ファインダ窓に反射する反射部材と、有する、
請求項１に記載のカメラ装置。
【請求項３】
前記背面モニタは、少なくとも前記電子ファインダのファインダ窓に対向する領域を含む所定領域の透過率が、当該所定領域以外の透過率よりも高くされている、
請求項２に記載のカメラ装置。
【請求項４】
前記カメラ装置は、さらに、前記ユーザが前記背面モニタに対して所定の距離まで近接していることを検出する近接センサを有し、
前記制御部は、
前記近接センサによって、前記ユーザが前記背面モニタに対して所定の距離まで近接していることが検出されていない場合、前記背面モニタを前記使用時の状態とし、
前記近接センサによって、前記ユーザが前記背面モニタに対して所定の距離まで近接していることが検出されている場合、前記背面モニタを前記非使用時の状態とする、
請求項１乃至３のいずれか１項に記載のカメラ装置。
【請求項５】
前記カメラ装置は、さらに、前記背面モニタの使用時と、前記背面モニタの非使用時とを切り替える入力を受ける入力部を備え、
前記制御部は、前記入力部に対する入力に応じて、前記背面モニタを前記使用時の状態と前記非使用時の状態とに相互に切り替える、
請求項１乃至４のいずれか１項に記載のカメラ装置。
【請求項６】
前記カメラ装置は、前記電子ファインダと前記背面モニタとの間に、少なくとも前記電子ファインダのファインダ窓に対向する領域を含む所定領域が透明又は開口しており、当該所定領域以外の領域が不透明となっている板状部材を有する、
請求項２又は３に記載のカメラ装置。
【請求項７】
前記反射部材は、ミラーである、
請求項２又は３に記載のカメラ装置。
【請求項８】
前記反射部材は、プリズムである、
請求項２又は３に記載のカメラ装置。
【請求項９】
請求項１乃至８のいずれか１項に記載のカメラ装置を備えた無線通信端末。
【発明の詳細な説明】
【技術分野】
【０００１】
本発明は、カメラ装置及びそれを備えた無線通信端末に関する。
【背景技術】
【０００２】
ファインダと背面モニタの両方を具備するカメラの開発が進んでいる。また、ファインダ付きカメラ装置のスマートフォンなどの無線通信端末への適用が検討されている。
【０００３】
特許文献１に開示のデジタルカメラは、表示エリアを囲む外周部に外方に突出する張出し部が設けられ、この張出し部に一部に透明部又は切欠部を形成し、他の部分に表示駆動素子を搭載した液晶表示パネルを備えるようにしている。また、この液晶表示パネルは、張出し部のうち、表示駆動素子の搭載部分を光学ファインダ部の側方のスペースに対応させ、透明部又は切欠部を光学ファインダ部に対応させて実装されている。これにより、表示エリアを光学ファインダ部の下側のスペースまで大きくして、デジタルカメラのモニタ画面を大きくすることができるようにしている。
【０００４】
特許文献２に開示の電子カメラは、液晶モニタと光学ファインダを具備し、液晶モニタが設けられた液晶ユニットを切り替えスイッチとしている。この電子カメラは、液晶ユニットをずらすことで、光学ファインダモードとなり、液晶モニタをＯＦＦにする。これにより、カメラボディの小型化を実現することができるようにしている。
【０００５】
しかしながら、特許文献１に開示のデジタルカメラは、張出し部の透明部又は切欠部の分だけ、表示エリアの面積がカメラの背面面積よりも小さくなってしまっているという問題がある。特に、このデジタルカメラは、その背面が外観上、光学ファインダ部及び表示エリア等が混在した統一性の無いデザインとなってしまっており、デザイン性を損なってしまっているという問題がある。
【０００６】
また、特許文献２に開示の電子カメラは、液晶モニタをスライド式にするためにカメラ全体の厚さが増加してしまうという問題がある。また、機構も複雑になるためにコストが増加してしまい、機構的な信頼性の確保も難しくなってしまうという問題もある。特に、この電子カメラは、液晶モニタをスライド可能とするために、液晶ユニットが張出した形状となってしまっていることで、デザイン性を損なってしまっているという問題がある。
【０００７】
特にスマートフォンなどの無線通信端末は、携帯して使用されることから、デザイン性が非常に重要視されている。
【先行技術文献】
【特許文献】
【０００８】
【特許文献１】特許４０５９２２９号
【特許文献２】特開平１０−１９１１１４号公報
【発明の概要】
【発明が解決しようとする課題】
【０００９】
上述したように、特許文献１及び特許文献２に開示のカメラ装置は、ファインダを備えることによって、デザイン性が損なわれてしまっているという問題がある。
【００１０】
本発明は、上述した知見に基づいてなされたものであって、ファインダを備えつつも、デザイン性を向上することができるカメラ装置及びそれを備えた無線通信端末を提供することを目的とする。
【課題を解決するための手段】
【００１１】
本発明の第１の態様に係るカメラ装置は、透過性を有する背面モニタと、前記背面モニタの前方に前記背面モニタと重なるように配設された電子ファインダと、前記背面モニタ及び前記電子ファインダに対するプレビュー画像の表示を制御する制御部と、を備え、前記制御部は、前記背面モニタの使用時には、前記背面モニタにプレビュー画像を表示することで、ユーザが前記背面モニタに表示されたプレビュー画像を視認可能とし、前記背面モニタの非使用時には、前記電子ファインダにプレビュー画像を表示することで、前記ユーザが前記背面モニタを透かして前記電子ファインダに表示されたプレビュー画像を視認可能とするものである。
【発明の効果】
【００１２】
上述した本発明の態様によれば、ファインダを備えつつも、デザイン性を向上することができるカメラ装置及びそれを備えた無線通信端末を提供することができる。
【図面の簡単な説明】
【００１３】
【図１Ａ】実施の形態１にかかる無線通信端末の一例を示す外観図である。
【図１Ｂ】実施の形態１にかかる無線通信端末の一例を示す外観図である。
【図２】実施の形態１にかかる無線通信端末の内部構成の一例を示すブロック図である。
【図３】実施の形態１にかかる無線通信端末の断面図である。
【図４Ａ】実施の形態１にかかる無線通信端末の使用例を示す断面図である。
【図４Ｂ】実施の形態１にかかる無線通信端末の使用例を示す断面図である。
【図５Ａ】実施の形態１にかかる無線通信端末の表示例を示す外観図である。
【図５Ｂ】実施の形態１にかかる無線通信端末の表示例を示す外観図である。
【図６】実施の形態２にかかる無線通信端末の一例を示す外観図である。
【図７】実施の形態にかかる無線通信端末の変形例を示す断面図である。
【図８】実施の形態にかかるデジタル一眼レフカメラを示す断面図である。
【発明を実施するための形態】
【００１４】
＜実施の形態１＞
以下、図面を参照して本発明の実施の形態について説明する。
まず、図１Ａ、及び図１Ｂを参照して、本実施の形態にかかるカメラ装置２００が適用される無線通信端末の概要について説明する。図１Ａ、及び図１Ｂは、無線通信端末１００の構成例を示す外観図である。なお、図１Ａ、及び図１Ｂでは、無線通信端末１００がスマートフォンである場合について示している。しかしながら、無線通信端末１００は、フィーチャーフォン、携帯ゲーム端末、タブレットＰＣ（Personal Computer）等のその他の無線通信端末であってもよい。
【００１５】
図１Ａは、無線通信端末１００を形成する筐体１０１の一方の主面（背面）側から見た当該無線通信端末１００の外観を示している。なお、筐体１０１の背面には、ほぼ全領域に配置された有機ＥＬパネル(Organic Light-Emitting Diode Panel)１０２と、有機ＥＬパネル１０２と重畳されたタッチパネル１０３と、幾つかの操作ボタン１０４と、近接センサ１０５と、後述のカメラ装置２００の一部である撮影レンズ２０１が配置されている。
【００１６】
図１Ｂは、筐体１０１の他方の主面（前面）側から見た無線通信端末１００の外観を示している。筐体１０１の前面には、カメラ装置２００の一部である撮影レンズ２０３が配置されている。
【００１７】
このように、本実施の形態では、撮影レンズ２０３によって被写体を撮像する際に、被写体に対向する主面を「前面」と定義し、その他方の主面を「背面」と定義して説明する。
【００１８】
有機ＥＬパネル１０２は、その表示面が筐体１０１の背面に位置するように配置されている。有機ＥＬパネル１０２は、無線通信端末１００（カメラ装置２００）の背面パネル（背面モニタ）として機能する。すなわち、ユーザは、被写体を撮影する際に、有機ＥＬパネル１０２に表示されたプレビュー画像を参考に、被写体を撮影する。
【００１９】
ここで、有機ＥＬパネル１０２は、透過型の有機ＥＬパネル（透明有機ＥＬパネル）である。すなわち、有機ＥＬパネル１０２の使用時（点灯時）には、有機ＥＬパネル１０２に画像が表示され、有機ＥＬパネル１０２の非使用時（消灯時）には、有機ＥＬパネル１０２を透かして、筐体１０１の内部が視認可能となる。ここで、有機ＥＬパネル１０２は、完全な透明に限られず、半透明であってもよい。ただし、好ましくは、有機ＥＬパネル１０２として、透過率（透明度）の高いものを採用するとよい。なお、有機ＥＬパネル１０２は、透過性を有するディスプレイパネルであれば、液晶パネル等の他のディスプレイパネルに置き換えられてもよい。
【００２０】
タッチパネル１０３は、有機ＥＬパネル１０２の表示面を覆うように配置されるか、又は有機ＥＬパネル１０２の裏面側に配置される。そして、ユーザの指又はユーザが操作する専用の操作ペン（スタイラス）等で有機ＥＬパネル１０２のタッチ領域内に触れることで、無線通信端末１００を直観的に操作することができる。
【００２１】
操作ボタン１０４は、無線通信端末１００に対する補助的な操作に用いられる。なお、無線通信端末によっては、このような操作ボタンが設けられないこともある。
【００２２】
近接センサ１０５は、無線通信端末１００に検出対象物が近接していることを非接触で検出するセンサである。近接センサ１０５は、無線通信端末１００にユーザが顔を近づけていることを検出するために用いられる。近接センサ１０５は、誘導型、静電容量型、超音波型、電磁波型、及び赤外線型等の種類のうち、任意の種類のものを採用するようにしてよい。
【００２３】
撮影レンズ２０３は、筐体１０１の前面に位置するように配置されたメインの撮影レンズである。一方、撮影レンズ２０１は、筐体１０１の背面に位置するように配置されたサブの撮影レンズである。なお、サブの撮影レンズ２０１は設けられなくても良い。
【００２４】
続いて、図２を参照して、本実施の形態にかかる無線通信端末１００の内部構成を説明する。図２は、本実施の形態にかかる無線通信端末１００の内部構成の一例を示すブロック図である。図２に示すように、無線通信端末１００のメインボード１０には、アプリケーションプロセッサ１１、無線処理部１２、メモリ１３、電源管理部１５、ボイス回路１６、オーディオ回路１７及びセンサ１８等が搭載されている。このメインボード１０には、上述した有機ＥＬパネル１０２、タッチパネル１０３及びカメラ装置２００が接続されるほか、マイク１０７、スピーカ１０８、バッテリ１０９、ＵＳＢ１１０、メモリカード１１１及びアンテナ１１２等が接続される。
【００２５】
アプリケーションプロセッサ１１は、一般的には、さまざまな周辺回路が１つのパッケージに統合されたＳｏＣ(System On a Chip)デバイスであり、無線処理部１２等の通信関連のデバイスやタッチパネル１０３、カメラ装置２００等の周辺機器を接続するためのインターフェース等、多くのインターフェース回路が含まれる。
【００２６】
このアプリケーションプロセッサ１１は、メモリ１３に格納されたプログラムを読み出して、無線通信端末１００の各種機能を実現するための処理を行う。例えば、アプリケーションプロセッサ１１は、メモリ１３からＯＳ(Operating System)プログラムを読み出し実行するとともに、このＯＳプログラムを動作基盤とするアプリケーションプログラムを実行する。アプリケーションプロセッサ１１は、このように、本実施の形態にかかる処理をアプリケーションプロセッサ１１に実行させるプログラムに従って、後述の各種処理を実行する。
【００２７】
無線処理部１２は、ベースバンドプロセッサ１２１、無線ＬＡＮ１２２及びＢｌｕｅｔｏｏｔｈ（登録商標）１２３等を有する。ベースバンドプロセッサ１２１は、無線通信端末１００が送受信するデータに対して符号化（例えば、畳み込み符号やターボ符号等の誤り訂正符号化）処理又は複合化処理等を含むベースバンド処理を行う。より具体的には、ベースバンドプロセッサ１２１は、送信データをアプリケーションプロセッサ１１から受け取り、受け取った送信データに対して符号化処理を施し、さらに、搬送波により変調処理して送信信号を生成し、アンテナ１１２を介して送信信号を外部へ送信する。また、ベースバンドプロセッサ１２１は、アンテナ１１２を介して受信信号を受信し、この受信信号を搬送波により復調処理して受信データを生成し、さらに、この受信データに対して複合化処理を施してアプリケーションプロセッサ１１に送信する。
【００２８】
メモリ１３は、アプリケーションプロセッサ１１により利用されるプログラム及びデータを格納する。なお、メモリ１３には、電源が遮断されても記憶したデータを保持する不揮発性メモリ（フラッシュメモリ）と、電源が遮断された場合に記憶したデータがクリアされる揮発性メモリと、が含まれる。
【００２９】
バッテリ１０９は、電池であり、無線通信端末１００が外部電源によらずに動作する場合に利用される。なお、無線通信端末１００は、外部電源が接続されている場合においてもバッテリ１０９の電源を利用してもよい。また、バッテリ１０９としては、二次電池を利用することが好ましい。
【００３０】
電源管理部１５は、バッテリ１０９又は外部電源から内部電源を生成する。この内部電源は、無線通信端末１００の各ブロックに与えられる。このとき、電源管理部１５は、アプリケーションプロセッサ１１からの指示に基づいて、各ブロックに供給する内部電源の制御を行う。また、電源管理部１５は、外部電源の供給がある場合、バッテリ１０９への充電制御も行う。
【００３１】
オーディオ回路１７は、アプリケーションプロセッサ１１から送信される音声データをデコードしてスピーカ１０８を駆動する。ボイス回路１６は、マイク１０７から得た音声情報をエンコードして音声データを生成し、この音声データをアプリケーションプロセッサ１１に出力する。
【００３２】
センサ１８には、上記の近接センサ１０５、温度センサ、及びＧＰＳ（Global Positioning System）センサ等が含まれる。温度センサにより本体側が充電時にバッテリ温度を管理することができる。また、ＧＰＳを備えることで、無線通信端末１００の位置を高精度に測定することが可能であり、位置を正確に把握することで、目的地までのナビゲーションが可能になる。ここで、無線通信端末１００のＧＰＳセンサは、通信により位置測定を補助し、短期間での位置を測定するための機能（A-GPS（Assisted GPS））を備える。
【００３３】
有機ＥＬパネル１０２は、アプリケーションプロセッサ１１における処理に従い様々な画像を表示する。有機ＥＬパネル１０２において表示される画像には、ユーザが無線通信端末１００に動作指示を与えるユーザインタフェース画像、静止画像、及び動画像等がある。静止画像には、無線通信端末１００のカメラ撮影機能によって被写体を撮影した撮影画像が含まれ、動画像には、その撮影時に被写体を把握するために、適宜、被写体を撮像して生成されるプレビュー画像等が含まれる。
【００３４】
カメラ装置２００は、アプリケーションプロセッサ１１からの指示に従い、撮影指示タイミングにおいて撮像していた画像を撮影画像として取得する。カメラ装置２００は、取得した撮影画像をメモリカード１１１に格納する。撮影指示タイミングは、例えば、ユーザによって撮影を指示する入力が、タッチパネル１０３又は操作ボタン１０４に対して行われたタイミングとなる。すなわち、アプリケーションプロセッサ１１は、撮影を指示する入力に応じて、カメラ装置２００に撮影画像の取得を指示するとともに、カメラ装置２００が得た撮像画像を、カメラ装置２００から取得する。
【００３５】
＜実施の形態１にかかるカメラ装置２００の構成例＞
続いて、図３を参照して、本実施の形態にかかるカメラ装置２００の構成例を説明する。図３は、本実施の形態にかかるカメラ装置２００の構成例を示す断面図である。以下では、カメラ装置２００が撮影レンズ２０１、２０３のうち撮影レンズ２０３のみを有する場合を例に説明する。
【００３６】
図３に示すように、カメラ装置２００は、撮影レンズ２０３と、イメージセンサ２０４と、有機ＥＬパネル１０２と、電子ファインダユニット２０５と、を備える。なお、無線通信端末１００の筐体１０１は、カメラ装置２００の本体部に相当する。すなわち、図２では、無線通信端末１００の筐体１０１内にカメラ装置２００を模式的に図示したが、無線通信端末１００の筐体１０１は、カメラ装置２００の本体部として共有される。
【００３７】
電子ファインダユニット２０５は、液晶パネル（内部モニタ）２０６と、対物レンズ２０７と、接眼レンズ２０８と、ミラー（反射部材）２０９と、ファインダ窓２１０を備える。なお、図３に示す電子ファインダユニット２０５内のレンズの数は、一例であって、これとは異なる数のレンズが設けられていてもよい。
【００３８】
撮影レンズ２０３は、被写体（被写体光）を光信号としてカメラ装置２００に取り込む。イメージセンサ２０４は、撮影レンズ２０３によって取り込まれた光信号を電気信号に変換する（即ち、被写体を撮像する）。イメージセンサ２０４による変換結果（画像）は、有機ＥＬパネル１０２又は液晶パネル２０６に表示される。
【００３９】
有機ＥＬパネル１０２の使用時（電子ファインダユニット２０５の非使用時）には、筐体１０１の背面に配置された有機ＥＬパネル１０２に画像が表示され、電子ファインダユニット２０５の液晶パネル２０６には画像が表示されない。これにより、有機ＥＬパネル１０２の使用時には、ユーザは、カメラ装置２００の背面側から、有機ＥＬパネル１０２に表示されたプレビュー画像を視認することが可能となる。
【００４０】
一方、有機ＥＬパネル１０２の非使用時（電子ファインダユニット２０５の使用時）には、電子ファインダユニット２０５の液晶パネル２０６に画像が表示され、筐体１０１の背面に配置された有機ＥＬパネル１０２には画像が表示されない。これにより、有機ＥＬパネル１０２の非使用時には、ユーザは、カメラ装置２００の背面側から、透過性を有する有機ＥＬパネル１０２を透かして、カメラ装置２００の内部に設けられた電子ファインダユニット２０５の液晶パネル２０６に表示されたプレビュー画像を視認することが可能となる。
【００４１】
電子ファインダユニット２０５は、例えば角柱形状である。電子ファインダユニット２０５には、液晶パネル２０６が設けられている。より具体的には、液晶パネル２０６は、電子ファインダユニット２０５の底面（紙面の下側の面；筐体１０１の内側寄りの面）付近に設けられている。すなわち、液晶パネル２０６は、電子ファインダユニット２０５の底面に設けられていてもよく、電子ファインダユニット２０５の底面に対して所定の距離だけ上方に設けられていてもよい。なお、液晶パネル２０６は、その表示面が電子ファインダユニット２０５の上方向（紙面の上方向）を向くように設けられている。なお、電子ファインダユニット２０５に設けられるディスプレイパネルは、液晶パネルに限られず、有機ＥＬパネル又はプラズマディスプレイパネル等の他の種類のものであってもよい。
【００４２】
対物レンズ２０７は、電子ファインダユニット２０５の底面（紙面の下側の面；筐体１０１の内側寄りの面）付近に設けられている。すなわち、対物レンズ２０７は、液晶パネル２０６に対して所定の距離だけ上方に設けられている。これにより、液晶パネル２０６から出力された画像の光は、対物レンズ２０７を通過してミラー２０９に到達する。なお、対物レンズ２０７は、その光軸が電子ファインダユニット２０５の上方向（紙面の上方向）を向くように設けられている。つまり、対物レンズ２０７は、その光軸が液晶パネル２０６の表示面と垂直になるように設けられている。
【００４３】
ミラー２０９は、対物レンズ２０７の出射側に設けられている。ミラー２０９は、対物レンズ２０７を通過した光を接眼レンズ２０８に向けて反射する。なお、反射部材として、ミラー２０９に代えてプリズムを用いてもよい。プリズムを利用することで、光の反射に加えて、光に対してレンズと同様の作用を与えることができる。これによれば、例えば、接眼レンズ２０８等を削減して、カメラ装置２００を、より薄型化することができる。しかしながら、プリズムは、ミラー２０９と比較して効果であるため、ミラー２０９を用いることで、コストを低減することができる。
【００４４】
接眼レンズ２０８は、電子ファインダユニット２０５の側面（紙面の右側の面；筐体１０１の背面側）付近に設けられている。すなわち、接眼レンズ２０８は、ファインダ窓２１０に対して所定の距離だけ前方（紙面の左方向；前面の方向）に設けられている。なお、接眼レンズ２０８は、その光軸が電子ファインダユニット２０５の上方向とは異なる方向を向くように設けられている。図３の例では、接眼レンズ２０８は、その光軸が筐体１０１の厚さ方向（紙面の横方向（左右方向））を向くように設けられている。つまり、接眼レンズ２０８の光軸と、対物レンズ２０７の光軸とが、直角に交わる状態となっている。すなわち、この場合には、ミラー２０９は、対物レンズ２０７からの光を垂直に反射して、接眼レンズ２０８に出力する。また、接眼レンズ２０８は、その光軸がファインダ窓２１０の面と垂直になるように設けられている。
【００４５】
ファインダ窓２１０は、電子ファインダユニット２０５の側面（紙面の右側の面；筐体１０１の背面）に設けられている。図３の例では、ファインダ窓２１０は、有機ＥＬパネル１０２と平行となるように設けられている。
【００４６】
ここで、ミラー２０９は、対物レンズ２０７を通過した光を接眼レンズ２０８に向けて反射することにより、液晶パネル２０６の表示面から対物レンズ２０７、ミラー２０９、接眼レンズ２０８を介してファインダ窓２１０までに必要な長さの光路長を確保することを可能としている。つまり、液晶パネル２０６、対物レンズ２０７、ミラー２０９、及び接眼レンズ２０８が直線上に配置されていなくても、必要な長さの光路長を確保することを可能としている。これによれば、カメラ装置２００の前後方向（紙面の横方向）を薄型化することができる。これは、無線通信端末１００が薄型化してきている近年において、カメラ装置２００を無線通信端末１００に適用する上で特に有効である。
【００４７】
なお、対物レンズ２０７は、液晶パネル２０６に表示された画像の光束を集光して焦点に実像を作る。この実像は、ミラー２０９によって接眼レンズ２０８に反射される。接眼レンズ２０８は、対物レンズ２０７によって作られてミラー２０９によって反射された実像を拡大する。接眼レンズ２０８によって拡大された実像（プレビュー画像）は、ユーザがファインダ窓２１０を覗き込むことで確認することができる。これによって、光学ファインダを覗いた場合と同様の被写体までの距離感を実現することができる。
【００４８】
以上に説明した構成により、カメラ装置２００（無線通信端末１００）は、カメラ装置２００の撮影機能によって被写体を撮影する際に以下のように動作する。有機ＥＬパネル１０２の使用時には、電子ファインダユニット２０５の液晶パネル２０６を消灯して液晶パネル２０６にプレビュー画像を表示しないようにするとともに、カメラ装置２００の背面の有機ＥＬパネル１０２を点灯させて有機ＥＬパネル１０２にプレビュー画像を表示するようにする。これにより、有機ＥＬパネル１０２の使用時には、ユーザは、カメラ装置２００の背面の有機ＥＬパネル１０２に表示されたプレビュー画像を視認可能となる。
【００４９】
一方、有機ＥＬパネル１０２の非使用時には、カメラ装置２００の背面の有機ＥＬパネル１０２を消灯して有機ＥＬパネル１０２にプレビュー画像を表示しないようにするとともに、電子ファインダユニット２０５の液晶パネル２０６を点灯させて液晶パネル２０６にプレビュー画像を表示するようにする。これにより、有機ＥＬパネル１０２の非使用時には、ユーザは、カメラ装置２００の背面の有機ＥＬパネル１０２を透かして、カメラ装置２００の内部に設けられた電子ファインダユニット２０５の液晶パネル２０６に表示されたプレビュー画像を視認可能となる。
【００５０】
このような構成によれば、カメラ装置２００（無線通信端末１００）において、電子ファインダ（電子ファインダユニット２０５）を用いた撮影と、背面モニタ（有機ＥＬパネル１０２）を用いた撮影の両方を実現しつつも、電子ファインダを背面モニタの前方のカメラ装置２００内部に納めて、カメラ装置２００の背面が背面モニタで覆われたシンプルなデザインとすることができる。そのため、カメラ装置２００（無線通信端末１００）のデザイン性を向上することができる。
【００５１】
＜実施の形態１にかかるカメラ装置２００の動作例＞
続いて、図４Ａ、図４Ｂ、図５Ａ、及び図５Ｂを参照して、本実施の形態にかかるカメラ装置２００の動作例を説明する。図４Ａ及び図４Ｂは、本実施の形態にかかるカメラ装置２００の使用例を示す断面図である。図５Ａ及び図５Ｂは、本実施の形態にかかるカメラ装置２００の表示例を示す外観図である。
【００５２】
図４Ａは、有機ＥＬパネル１０２の使用時における使用例を示しており、図４Ｂは、有機ＥＬパネル１０２の非使用時における使用例を示している。また、図５Ａは、有機ＥＬパネル１０２の使用時における表示例を示しており、図５Ｂは、有機ＥＬパネル１０２の非使用時における表示例を示している。
【００５３】
近接センサ１０５は、図４Ａに示すように、検出対象物を検出可能となる所定の距離までユーザの顔が近接センサ１０５に接近していない場合、ユーザの近接を検出していないことを通知する非検出通知信号を、アプリケーションプロセッサ１１に出力する。
【００５４】
アプリケーションプロセッサ１１は、近接センサ１０５から非検出通知信号が出力されている場合、カメラ装置２００の背面の有機ＥＬパネル１０２を点灯し、イメージセンサ２０４によって生成されるプレビュー画像を有機ＥＬパネル１０２に表示する。また、この場合、アプリケーションプロセッサ１１は、電子ファインダユニット２０５の液晶パネル２０６を消灯し、液晶パネル２０６には、イメージセンサ２０４によって生成されるプレビュー画像を表示しないようにする。
【００５５】
これにより、図４Ａに示すように、カメラ撮影において、ユーザが、カメラ装置２００の背面の有機ＥＬパネル１０２を参照して、被写体の撮影状況を把握しようとしてカメラ装置２００から顔を離した場合、図５Ａに示すように、有機ＥＬパネル１０２にプレビュー画像が表示される。すなわち、ユーザは、カメラ装置２００の背面パネル（有機ＥＬパネル１０２）に表示されたプレビュー画像を参照することによって、被写体の撮影状況が把握可能となる。
【００５６】
一方、近接センサ１０５は、図４Ｂに示すように、検出対象物を検出可能となる所定の距離までユーザの顔が近接センサ１０５に接近した場合、ユーザの近接を検出し、ユーザの接近を検出していることを通知する検出通知信号を、アプリケーションプロセッサ１１に出力する。
【００５７】
アプリケーションプロセッサ１１は、近接センサ１０５から検出通知信号が出力されている場合、電子ファインダユニット２０５の液晶パネル２０６を点灯し、イメージセンサ２０４によって生成されるプレビュー画像を液晶パネル２０６に表示する。また、この場合、アプリケーションプロセッサ１１は、カメラ装置２００の背面の有機ＥＬパネル１０２を消灯し、有機ＥＬパネル１０２には、イメージセンサ２０４によって生成されるプレビュー画像を表示しないようにする。
【００５８】
これにより、図４Ｂに示すように、カメラ撮影において、ユーザが、電子ファインダユニット２０５の液晶パネル２０６を参照して、被写体の撮影状況を把握しようとしてカメラ装置２００に顔を近づけた場合、図５Ｂに示すように、液晶パネル２０６にプレビュー画像が表示される。すなわち、ユーザは、電子ファインダ（電子ファインダユニット２０５の液晶パネル２０６）に表示されたプレビュー画像を背面パネル（有機ＥＬパネル１０２）を透かして参照することによって、被写体の撮影状況が把握可能となる。
【００５９】
ここで、カメラ装置２００の内部には、有機ＥＬパネル１０２と電子ファインダユニット２０５との間において、少なくとも電子ファインダユニット２０５のファインダ窓２１０に対向する領域を含む所定領域が透明又は開口しており、その他の領域が不透明である板状の部材を設けるようにするとよい。そのようにすることで、ファインダ窓２１０を介して液晶パネル２０６に表示された画像を視認可能としつつ、ファインダ窓２１０以外の領域についてはカメラ装置２００の内部が視認されることを防止することができる。
【００６０】
なお、好ましくは、上記の板状部材において、透明又は開口させる領域は、例えば、ファインダ窓２１０に対向する領域のみを含むようにするか、それよりも数パーセント大きい程度とするとよい。そのようにすることで、カメラ装置２００の内部が視認される範囲を、より低減することができる。
【００６１】
以上に説明したように、本実施の形態１では、透過性を有する背面モニタ（有機ＥＬパネル１０２と、背面モニタの前方に背面モニタと重なるように配設された電子ファインダ（電子ファインダユニット２０５）とを備えるようにしている。そして、背面モニタの使用時には、背面モニタにプレビュー画像を表示することで、ユーザが背面モニタに表示されたプレビュー画像を視認可能とし、背面モニタの非使用時には、電子ファインダにプレビュー画像を表示することで、ユーザが背面モニタを透かして電子ファインダに表示されたプレビュー画像を視認可能とするようにしている。
【００６２】
これによれば、ファインダとしての機能を備えつつも、背面パネルと重なるカメラ装置２００の内部空間に電子ファインダを配置することで、カメラ装置２００の背面全体がパネルで覆われたお洒落なデザインのカメラを提案することができる。すなわち、デザイン性を向上することができる。
【００６３】
また、背面パネルを固定的に配置できるので、背面パネルを可動する機構を有するカメラ装置と比較して、カメラ装置全体を薄型化することができる。また、背面パネルを可動する機構を有さないことにより、機構コストも抑制し、信頼性も向上することができる。
【００６４】
＜実施の形態２＞
続いて、本発明の実施の形態２にかかる無線通信端末について説明する。なお、本発明の実施の形態２にかかる無線通信端末及びカメラ装置の構成及び動作は、図１Ａ〜図５Ｂを参照して説明した実施の形態１にかかる無線通信端末１００及びカメラ装置２００の構成及び動作と同様であるため、説明を省略する。
【００６５】
本実施の形態２では、実施の形態１と比較して、有機ＥＬパネル１０２の材質に関して、さらなる工夫が施されている。
【００６６】
まず、一般的に、透過型有機ＥＬパネル（透明有機ＥＬパネル）は、その透過率（透明度）が高い程、その表示画像が暗くなってしまうという特性がある。すなわち、透過率が高い透過型有機ＥＬパネルは、透過率が低い透過型有機ＥＬパネルとを同一の明るさとするためには、透過率が低い透過型有機ＥＬパネルよりも発光強度を強くする（より明るく発光させる）必要がある。つまり、透過率が高い透過型有機ＥＬパネルは、透過率が低い透過型有機ＥＬパネルよりも、消費電力が増加してしまうという特性がある。そこで、本実施の形態２では、有機ＥＬパネル１０２を以下に説明するような構成とすることで、消費電力を低減するものである。
【００６７】
続いて、図６を参照して、本発明の実施の形態２にかかる有機ＥＬパネル１０２の構成について説明する。図６は、本発明の実施の形態２にかかる有機ＥＬパネル１０２の構成図である。
【００６８】
本発明の実施の形態２にかかる有機ＥＬパネル１０２は、図６に示すように、少なくともファインダ窓２１０に対向する領域を含む所定領域３００と、それ以外の領域３０１とで透過率を異なるものとしている。
【００６９】
具体的には、有機ＥＬパネル１０２において、領域３００の材質は、ユーザがファインダ窓２１０からプレビュー画像を視認し易くするために、領域３０１の材質よりも透過率を高くしている。よって、領域３０１は、全く透過しない非透過の材質としてもよい。
【００７０】
これによれば、ファインダ窓２１０に対向する領域を含まない領域３０１は、領域３００よりも低い発光強度とし、その消費電力を低減することができる。また、ファインダ窓２１０に対向する領域を含む領域３００は、透過率が高いため、ユーザによる電子ファインダユニット２０５の液晶パネル２０６に表示されたプレビュー画像の視認を阻害することもない。
【００７１】
なお、好ましくは、透過率を高くする領域３００は、例えば、ファインダ窓２１０に対向する領域のみを含むようにするか、それよりも数パーセント大きい程度とするとよい。そのようにすることで、透過率が低く、発光にかかる消費電力が低い領域３０１を極力増大させることができるため、より消費電力を低減することができる。
【００７２】
以上に説明したように、本実施の形態２では、背面モニタは、少なくとも電子ファインダ（電子ファインダユニット２０５）のファインダ窓２１０に対向する領域を含む所定領域の透過率が、その所定領域以外の透過率よりも高くされている。これによれば、背面モニタにおいて、上記所定領域以外を弱い発光強度としても、上記所定領域と明るさを合わせて表示可能となる。したがって、上記所定領域以外は、発光強度を弱くできるため、消費電力を低減することができる。
【００７３】
＜実施の形態の第１変形例＞
続いて、図７を参照して、本実施の形態にかかるカメラ装置２００の第１変形例について説明する。図７は、本実施の形態にかかるカメラ装置２００の第１変形例を示す断面図である。すなわち、以上に説明した実施の形態１、２は、次に説明するように電子ファインダユニット２０５の構造を変形した態様としてもよい。
【００７４】
図７に示すカメラ装置２００は、電子ファインダユニット２０５において、液晶パネル２０６、対物レンズ２０７、接眼レンズ２０８、及びファインダ窓２１０が、カメラ装置２００の前後方向に対して直列に並ぶように設けられている。また、図７に示すように、ミラー２０９は不要となる。
【００７５】
本変形例では、液晶パネル２０６は、電子ファインダユニット２０５の側面（紙面の左側の面；筐体１０１の前面側）付近に設けられている。すなわち、液晶パネル２０６は、電子ファインダユニット２０５の前面に設けられていてもよく、電子ファインダユニット２０５の前面に対して所定の距離だけ後方（紙面の右方向；背面の方向）に設けられていてもよい。なお、液晶パネル２０６は、その表示面が電子ファインダユニット２０５の後方（紙面の右方向；背面の方向）を向くように設けられている。
【００７６】
また、対物レンズ２０７は、電子ファインダユニット２０５の側面（紙面の左側の面；筐体１０１の前面側）付近に設けられている。すなわち、対物レンズ２０７は、液晶パネル２０６に対して所定の距離だけ後方に設けられている。これにより、液晶パネル２０６から出力された画像の光は、対物レンズ２０７を通過して接眼レンズ２０８に到達する。なお、対物レンズ２０７は、その光軸が筐体１０１の厚さ方向（紙面の横方向（左右方向））を向くように設けられている。つまり、対物レンズ２０７は、その光軸が液晶パネル２０６の表示面と垂直になるように設けられている。また、接眼レンズ２０８の光軸と、対物レンズ２０７の光軸とが一致する状態となっている。
【００７７】
液晶パネル２０６とファインダ窓２１０の距離は、液晶パネル２０６の表示面から対物レンズ２０７、ミラー２０９、接眼レンズ２０８を介してファインダ窓２１０までに必要な長さの光路長を確保できる距離とする。
【００７８】
このような構成としても、カメラ装置２００（無線通信端末１００）の外観は、上述したように、電子ファインダユニット２０５をカメラ装置２００の内部に納めて、カメラ装置２００の背面が全体的に有機ＥＬパネル１０２で覆われたシンプルなデザインとすることができるため、デザイン性を向上することができる。
【００７９】
しかしながら、好ましくは、上述したように、ミラー２０９によって、カメラ装置２００の厚さ（前後方向の幅）を増加させることなく、必要な長さの光路長を確保することができるようにすることで、カメラ装置２００の厚さを小さくし、よりデザイン性を向上することができる。
【００８０】
＜実施の形態の第２変形例＞
以上に説明した実施の形態１、２では、有機ＥＬパネル１０２へのプレビュー画像の表示と、液晶パネル２０６へのプレビュー画像の表示とを、近接センサ２０５の検出結果に応じて切り替えるようにしているが、これに限られない。
【００８１】
ユーザからの切り替えボタン（入力部）の押下に応じて表示を切り替えるようにしてもよい。この場合、無線通信端末１００に設けた任意のボタンを切り替えボタンとして割り当てる。切り替えボタンは、例えば、操作ボタン１０４を割り当ててもよく、有機ＥＬパネル１０２及びタッチパネル１０３によって再現される操作ボタンを割り当てるようにしてもよい。
【００８２】
そして、ユーザからの切り替えボタンの押下に応じて、操作ボタン１０４又はタッチパネル１０３は、切り替えボタンの押下を通知する通知信号をアプリケーションプロセッサ１１に出力する。アプリケーションプロセッサ１１は、操作ボタン１０４又はタッチパネル１０３からの通知信号の出力に応じて、有機ＥＬパネル１０２の使用時の表示と、有機ＥＬパネル１０２の非使用時の表示との間で、表示の切り替えを行う。
【００８３】
これによれば、ユーザは、カメラ装置２００に接近しない状態で、背面モニタ（有機ＥＬパネル１０２）において、遠巻きに電子ファインダ（電子ファインダユニット２０５）によるプレビュー画像の表示位置を事前把握することが可能となる。
【００８４】
なお、本発明は上記実施の形態に限られたものではなく、趣旨を逸脱しない範囲で適宜変更することが可能である。
【００８５】
例えば、上記の実施の形態では、本発明を無線通信端末１００に対して適用した例について説明したが、本発明をカメラ装置２００として、図８に示すようなデジタル一眼レフカメラ（特にミラーレスタイプ）に適用するようにしてもよい。一般的に、デジタル一眼レフカメラは、図８に示すように、撮影レンズ２０３を含むレンズ部が本体部より突出しているが、その背面は背面モニタ（有機ＥＬパネル１０２）で覆われたシンプルなデザインとすることができるため、従来よりもデザイン性を向上することができる。
【符号の説明】
【００８６】
１０  メインボード
１１  アプリケーションプロセッサ
１２  無線処理部
１３  メモリ
１５  電源管理部
１６  ボイス回路
１７  オーディオ回路
１８  センサ
１００  無線通信端末
１０１  筐体
１０２  有機ＥＬパネル
１０３  タッチパネル
１０４  操作ボタン
１０５  近接センサ
１０７  マイク
１０８  スピーカ
１０９  バッテリ
１１０  ＵＳＢ
１１１  メモリカード
１１２  アンテナ
１２１  ベースバンドプロセッサ
１２２  無線ＬＡＮ
１２３  Ｂｌｕｅｔｏｏｔｈ
２００  カメラ装置
２０１  撮影レンズ
２０３  撮影レンズ
２０４  イメージセンサ
２０５  電子ファインダユニット
２０６  液晶パネル
２０７  対物レンズ
２０８  接眼レンズ
２０９  ミラー
２１０  ファインダ窓
【図１Ａ】
2014216761.tif 000003
【図１Ｂ】
2014216761.tif 000004
【図２】
2014216761.tif 000005
【図３】
2014216761.tif 000006
【図４Ａ】
2014216761.tif 000007
【図４Ｂ】
2014216761.tif 000008
【図５Ａ】
2014216761.tif 000009
【図５Ｂ】
2014216761.tif 000010
【図６】
2014216761.tif 000011
【図７】
2014216761.tif 000012
【図８】
2014216761.tif 000013